(57)【特許請求の範囲】
【請求項１】
第１の画像処理装置により生成した覆い焼き処理前の画像を表すデジタル画像信号と覆い焼き処理に使用するボケマスク画像を表すボケ画像信号とを用いて、第２の画像処理装置により好みの条件で覆い焼き処理を行なう画像処理方法において、
前記第１の画像処理装置において、
覆い焼き処理前の画像を表すデジタル画像信号と該デジタル画像信号から得られる覆い焼き処理に使用するボケマスク画像を表すボケ画像信号とを生成し、
前記ボケ画像信号を圧縮処理して圧縮されたボケ画像信号を作成し、
該圧縮されたボケ画像信号と前記デジタル画像信号とを配送可能な記録媒体に保存し、
前記第２の画像処理装置において、
配送された前記記録媒体に記録された前記圧縮されたボケ画像信号と前記デジタル画像信号とを再生し、
前記圧縮されたボケ画像信号を伸長処理し、
前記デジタル画像信号と伸長処理された前記ボケ画像信号とを用いて覆い焼き処理を行うことを特徴とする画像処理方法。
【請求項２】
前記圧縮処理が間引き処理であることを特徴とする請求項１記載の画像処理方法。
【請求項３】
前記伸長処理が、拡大処理して、覆い焼きする対象画像の大きさに一致させる処理であることを特徴とする請求項１記載の画像処理方法。
【請求項４】
前記覆い焼き処理前の画像を表すデジタル画像信号が、階調のつぶれがないものであることを特徴とする請求項１記載の画像処理方法。
【請求項５】
前記第１の画像処理装置が、大規模画像処理ステーションの装置であり、前記第２の画像処理装置が一般ユーザのパソコンであることを特徴とする請求項１記載の画像処理方法。
【請求項６】
第１の画像処理装置により生成した覆い焼き処理前の画像を表すデジタル画像信号と覆い焼き処理に使用するボケマスク画像を表すボケ画像信号とを用いて、第２の画像処理装置において好みの条件で覆い焼き処理を行なう画像処理方法に使用される画像処理装置であって、
覆い焼き処理前の画像を表すデジタル画像信号と該デジタル画像信号から得られる覆い焼き処理に使用するボケマスク画像を表すボケ画像信号とを生成し、前記ボケ画像信号を圧縮処理して圧縮されたボケ画像信号を作成し、該圧縮されたボケ画像信号と前記デジタル画像信号とを配送可能な記録媒体に保存する第１の画像処理装置と、
配送された前記記録媒体に記録された前記圧縮されたボケ画像信号と前記デジタル画像信号とを再生し、前記圧縮されたボケ画像信号を伸長した後、前記デジタル画像信号と伸長処理された前記ボケ画像信号とを用いて覆い焼き処理を行う第２の画像処理装置とからなることを特徴とする画像処理装置。
【発明の詳細な説明】
【０００１】
【発明の属する技術分野】
本発明は画像処理方法、詳しくは第１の画像処理装置により生成した覆い焼き処理前の画像を表すデジタル画像信号と覆い焼き処理に使用するボケマスク画像を表すボケ画像信号とを用いて、第２の画像処理装置において好みの条件で覆い焼き処理を行なう画像処理方法に関するものである。
【０００２】
【従来の技術】
近年、ネガフイルム、リバーサルフイルム等の写真フイルム（以下、フイルムとする）や印刷物等に記録された画像情報を光電的に読み取って、読み取った画像をデジタル信号とした後、種々の画像処理を施して記録用の画像情報とし、この画像情報に応じて変調した記録光によって印画紙等の感光材料を走査露光してプリントするデジタルフォトプリンタの開発が進んでいる。
【０００３】
デジタルフォトプリンタは、複数画像の合成や画像の分割等の編集や、文字と画像との編集等のプリント画像のレイアウトや、色／濃度調整、変倍率、輪郭強調等の各種の画像処理も自由に行うことができ、用途に応じて自由に編集および画像処理したプリントを出力することができる。また、従来の面露光によるプリントでは、感光材料の再現可能濃度域の制約のため、フイルム等に記録されている画像濃度情報をすべて再生することはできないが、デジタルフォトプリンタによればフイルムに記録されている画像濃度情報をほぼ100 ％再生したプリントあるいは100 ％利用して画像処理等したプリントを出力することができる。
【０００４】
このようなデジタルフォトプリンタは基本的に、フイルム等の原稿に記録された画像を読み取る読取手段、読み取った画像を画像処理して後の露光条件を決定し、決定された露光条件に従って感光材料を走査露光して現像処理を施したり、モニタに表示したりする画像再生手段より構成される。
【０００５】
フイルム等に記録された画像の読取装置においては、例えばスリット走査による読取りでは、１次元方向に延在するスリット状の読取光をフイルムに照射するとともに、フイルムをこの１次元方向と略直交する方向に移動（あるいは読取光と光電変換素子とを移動）することにより、フイルムを２次元的に走査する。フイルムを透過したフイルム画像を担持する透過光は、ＣＣＤラインセンサ等の光電変換素子の受光面上に結像して、光電変換されて読み取られる。読み取られた光量データは増幅され、Ａ／Ｄ変換によりデジタル信号とされ、各ＣＣＤ素子による特性のバラツキの補正、濃度変換、倍率変換等の各種の画像処理が施されて、再生手段に転送される。
【０００６】
再生手段においては、転送された画像情報を、例えばＣＲＴ等のディスプレイに可視像として再生する。オぺレータは、再生画像を見て、必要であればこの再生画像に階調補正や色／濃度補正等の補正をさらに加え（セットアップ条件の設定）、再生画像が仕上りプリントとして合格（検定ＯＫ）であれば、記録用の画像情報として現像手段やモニタに転送する。
【０００７】
画像再生装置においては、ラスタースキャン（光ビーム走査）による画像記録を利用するものであれば、感光材料に形成される３原色の感光層、例えばＲＧＢの３色の露光に対応する３種の光ビームを、記録用の画像情報に応じて変調して主走査方向（前記１次元方向に対応）に偏向すると共に、この主走査方向と略直交する方向に、感光材料を副走査搬送する（偏向された光ビームと感光材料とを相対的に副走査する）ことにより、記録画像に応じて変調された光ビームによって感光材料を２次元的に走査露光して、読み取ったフイルムの画像を感光材料に記録する。
【０００８】
露光済の感光材料は、次いで感光材料に応じた現像処理、例えば銀塩写真感光材料であれば、発色・現像→漂白・定着→水洗→乾燥等の現像処理が施され、仕上りプリントとして出力される。
【０００９】
このような感光材料が記録できる被写体の輝度レンジは比較的広いが、感光材料は最大濃度が制限されているため、通常のプリント方法では輝度差が大きいシーンのプリントは明るい部分（明部）あるいは暗い部分（暗部）のどちらかがつぶれてしまう傾向がある。例えば、人物を逆光で撮影したような場合、人物が明瞭となるようにプリントすると、空のような明るい部分は白くとんでしまい、空のような明るい部分が明瞭となるようにすると人物が黒くなってつぶれてしまう。この問題を解決するために、覆い焼きやマスキングプリントというような方法が用いられている。
【００１０】
覆い焼きはシーンの中の中間的な濃度の領域には通常の露光を与え、プリント上で白くとびそうな領域に孔あき遮蔽板を使って選択的に長時間露光を与えたり、プリント上で黒くつぶれそうな領域には遮蔽板を用いて選択的に露光時間を短くすることにより、個々の被写体のコントラストは維持し、かつ明部・暗部のつぶれのないプリントを得るというものである。このように局部的に露光時間を制御する遮蔽板として、原画フイルムのネガポジを反転したボケ画像を写真的に作成したものを用いて、原画フイルムとボケ画像フイルムとを重ねてプリントを行う方法が提案されている。
【００１１】
また、写真原画の照明光源の明るさを部分的に変化させることにより、覆い焼きと同様の効果を得ることができるマスキングプリント方法も提案されている（例えば特開昭58-66929号、特開昭64-35542号、特公昭64-10819号）。
【００１２】
特開昭58-66929号には、ＣＲＴを照明光源にして、メモリスキャンにより原画を測光してカラー原画のボケマスクデータを作成し、露光モードにおいてはこのボケマスクデータによりＣＲＴの発生を制御して、原画が確実に感光材料のコントラスト再現限界に記録されるようにコントラストの制御を行う装置が記載されている。
【００１３】
また、特開昭64-35542号には、ＣＲＴを照明光源とし、原画を測光する光路と感光材料に露光する光路とを切り換え可能にしておき、再生される画像の階調補正と彩度補正を行うための露光時のＣＲＴの輝度制御信号を原画の測光データに基づいて作成するとともに、再生画像をモニタに表示するための信号を生成し、これを観察してＣＲＴからの光量を制御して所望とする再生画像が得られるようにした装置が記載されている。
【００１４】
さらに、特公昭64-10819号には、均一な面光源と原画との間に液晶のような光の透過率を部分的に変化させることができるマトリクスデバイスを配置し、原画の測光データに基づいてこの液晶の透過率を制御して再生画像のコントラストを調整することができるようにした装置が記載されている。
【００１５】
一方、再生時のグレーバランスを補正するために、原画上の各色ごとに濃度値の最大、最小値が再生画像上でそれぞれ予め設定された一定の値になるように変換する方法が提案されている（特開平6-242521号）。この方法は階調の制御をフイルムのコマごとに行うことができるため、輝度差が大きいシーンでは画像全体の階調を軟調化してシーンの輝度レンジが感光材料のダイナミックレンジ内に収まるようにして明部および暗部のつぶれをなくすようにしたものである。
【００１６】
上述した覆い焼きやマスキングプリントを行う方法においては、再生される画像に関係なく用意される遮蔽板を操作するために、極めて高度な技術を必要とし、またボケ画像フイルムを作成するためには相当の手間がかかっている。
【００１７】
また、上述した特開昭58-66929号、特開昭64-35542号、特公昭64-10819号においては、ある程度大きな構造物のコントラストは照明光源の輝度分布により調整することにより再生することはできるが、再生画像の局所的な構造は原画フイルムの投影像に対応しているため、エッジ部も含めた色再現、エッジの鮮鋭度、あるいは原画のオーバー、アンダー部などの階調を自由にコントロールできないという欠点がある。
【００１８】
さらに特開昭58-66929号、特開昭64-35542号、特公昭64-10819号のそれぞれに記載された装置においては、測光および露光のための処理がシーケンシャルに行われるため処理能力が遅く、また測光時と露光時とで原画の移動量がずれた場合にプリントされる像が乱れるという問題がある。また、液晶を用いる特公昭64-10819号においては、液晶の透過率は最大30％程度であるため露光時間が長くなってしまうという難点がある。さらに、ＣＲＴの管面は表面を覆うガラスの内側が光るようになっており、ＣＲＴの管面にフイルムを密着させてもＣＲＴの光っている面とフイルムとの間には実質的に隙間ができるため、測光データを表示する特開昭64-35542号においては、測光時にＣＲＴ発光面とフイルム面との間の隙間により、測光結像系にボケが生じて鮮明なモニタ画像を得ることができないという問題がある。
【００１９】
また、特開平6-242521号においては、明部および暗部のつぶれをなくすことはできるものの、個々の被写体のコントラストが弱くなり、めりはりのないプリント像になってしまうという問題がある。
【００２０】
このため、カラー画像中の空間周波数が低い構造物のみを表すボケ画像信号をデジタル画像信号から減算することにより差信号を得、得られた差信号に対し、濃度、彩度および／または階調を変化させる処理を施し、この処理が施された差信号を可視像として再生手段に再生することにより、原画像全体のコントラストが強い場合であっても、画像全体のコントラストを弱め、かつ画像中の明部および暗部内の細かなコントラストを残し、明部および暗部の双方の画像がつぶれることをなくした画像再生方法が提案されている（特開平2-226375号、特願平7-165965号）。
【００２１】
このような画像再生方法においては、画像信号に対してローパスフィルタによりフィルタリング処理を施して、ボケ画像信号を作成するようにしているが、ローパスフィルタのサイズが小さすぎると、得られる処理済画像の鮮鋭度が不自然に強調されたようになってしまい、前述した覆い焼きを行うのと同様の効果が得られないため、ある程度の大きさのフィルタ（例えば100×100程度）によりフィルタリング処理を行うようにしている。しかしながら、このローパスフィルタによりボケ画像信号を作成する場合、画像の垂直方向に対しても処理を行うことが必要であるため、ボケ画像信号を作成する際のラインメモリの数がマスクサイズ−１個必要となり（例えば、フィルタサイズが100 ×100 の場合、99個のラインメモリが必要となる）、処理を行うための装置が大型化していた。
【００２２】
そこで、装置を大型化することなくダイナミックレンジ圧縮処理を行い、高画質のプリント画像を得るため、ＩＩＲフィルタによりフィルタリング処理を施してボケ画像信号を得、そのボケ画像信号に基づいて画像信号にダイナミックレンジ圧縮処理を施した後に可視像を得る方法が提案されている。（本願出願人による特願平7-337509号参照）
【００２３】
【発明が解決しようとする課題】
ところで、このようなボケ画像を用いた覆い焼き処理をデジタルフォトプリンタシステムで行う場合、デジタルフォトプリンタは大規模な装置であり、一般のユーザが自由に操作できる環境にはないため、覆い焼き処理を含む上記各処理は大規模な画像処理ステーションであるラボで、定型化された方法で行われているのが現状である。しかし、本来、覆い焼き処理のような画像の修正処理は、その写真を撮影したユーザの撮影意図に沿ってなされなければならないものであり、撮影意図の分からないラボが標準的な処理をしてもユーザが満足できる覆い焼き処理ができないものである。
【００２４】
例えば、一つの撮影シーンの中のどの部分の階調を最も見やすい階調にすればよいのか、手前の人物か遠くの人物か、日向の人物か日陰の人物かなど、撮影者でなければ分からないものである。
【００２５】
したがって、ユーザが本人の撮影意図に適った覆い焼き処理が自由にできることが望まれるが、これまでそのような要望に応えるデジタルフォトプリンタのシステムは存在していない。
【００２６】
本発明は、このような要望に応え、ユーザが好みの覆い焼き処理を自由にすることができるデジタルフォトプリンタのシステムを提供することを目的とするものである。
【００２７】
【課題を解決するための手段】
本発明によるデジタルフォトプリンタシステムは、ユーザのパソコン等の装置において好みの条件で覆い焼き処理を行なうことのできる画像処理方法及び装置を提供するものである。
【００２８】
すなわち、本発明による画像処理方法および装置は、第１の画像処理装置により生成した覆い焼き処理前の画像を表すデジタル画像信号と覆い焼き処理に使用するボケマスク画像を表すボケ画像信号とを用いて、第２の画像処理装置において好みの条件で覆い焼き処理を行なう画像処理方法および装置であって、
前記第１の画像処理装置において、
覆い焼き処理前の画像を表すデジタル画像信号と該デジタル画像信号から得られる覆い焼き処理に使用するボケマスク画像を表すボケ画像信号とを生成し、
前記ボケ画像信号を圧縮処理して圧縮されたボケ画像信号を作成し、
該圧縮されたボケ画像信号と前記デジタル画像信号とを配送可能な記録媒体に保存し、
前記第２の画像処理装置において、
配送された前記記録媒体に記録された前記圧縮されたボケ画像信号と前記デジタル画像信号とを再生し、
前記圧縮されたボケ画像信号を伸長処理し、
前記デジタル画像信号と伸長処理された前記ボケ画像信号とを用いて覆い焼き処理を行うことを特徴とするものである。
【００２９】
前記圧縮処理としては、例えば間引き処理が可能である。また前記伸長処理としては、例えば拡大処理して覆い焼きする対象画像の大きさに一致させる処理である。
【００３０】
なお、前記覆い焼き処理前の画像を表すデジタル画像信号はユーザの多種多様な好みに応じた覆い焼き処理を可能にするため階調のつぶれがないものであることが望ましい。
【００３１】
【発明の効果】
本発明による画像処理方法および装置は、大規模なラボ装置のような第１の画像処理装置により生成した覆い焼き処理前の画像を表すデジタル画像信号とボケ画像信号をＭＯやＣＤ等の配送可能な記録媒体に保存し、それをユーザのパソコンのような第２の画像処理装置により再生し利用して覆い焼き処理するものであるから、ユーザが自由に好みの条件で覆い焼き処理をすることができる。
【００３２】
また、ボケ画像信号を間引き処理して間引きボケ画像信号を作成し、その間引きボケ画像信号を保存するようにしたから記録媒体の容量を節約することができる。間引きしたボケ画像信号はユーザが拡大処理して覆い焼き処理する対象の画像の大きさに一致させて使用するが、覆い焼きのためのボケ画像信号であるから拡大処理しても最終的に得られる覆い焼き処理された画像の画質を損なうものではない。
【００３３】
また、覆い焼き処理前の画像を表すデジタル画像信号として階調のつぶれがないものを使用することにより、高濃度から低濃度までユーザの幅広い要求に応えて覆い焼きの処理の対象とすることかできる。
【００３４】
【発明の実施の形態】
以下、図面を参照して本発明の実施の形態について説明する。
【００３５】
図１は本発明による画像処理方法および装置を使用したデジタルフォトプリンタシステムにおける大規模なラボ装置のような第１の画像処理装置を示すものである。図１に示すように、この画像処理装置１は、画像読取部１Ａと、画像処理部１Ｂとからなる。画像読取部１Ａは、光源２と、光源２からの光量を調整するための調光部３と、光源２からの光をＲＧＢの３色に変換するためのＲＧＢフィルタ４と、ＲＧＢフィルタ４を透過した光を拡散させてフイルム６に照射するためのミラーボックス５と、フイルム６を透過した光をエリアタイプのＣＣＤ８に結像させるためのレンズ７とからなるものである。なお、画像読取方式はエリアタイプのＣＣＤの代わりに、ラインセンサを相対的に移動する方式でも、ドラムスキャナのようにスポット測光する方式でもよい。なお、画像読取部１Ａにおいては、ＣＣＤ８の検出間隔を比較的粗くして先読画像信号ＳP を得る先読みと、この先読みの後にＣＣＤ８の検出間隔を比較的細かくして本読画像信号ＳQ を得る本読みとを行うものである。
【００３６】
一方、画像処理部１Ｂは、ＣＣＤ８において検出されたＲＧＢ３色の画像信号を増幅するためのアンプ10と、増幅された画像信号をデジタル画像信号にＡ／Ｄ変換するためのＡ／Ｄ変換手段11と、デジタル画像信号を濃度信号に変換するためのルックアップテーブル（ＬＵＴ）12と、濃度変換されたデジタル画像信号をＲＧＢの色ごとに記憶するフレームメモリ13Ｒ，13Ｇ，13Ｂと、プレスキャンを行う場合に先読画像信号をＲＧＢの色ごとに記憶するフレームメモリ14Ｒ，14Ｇ，14Ｂと、デジタル画像信号に対して後述するようなグレイバランス、明るさ補正および階調補正を行うＬＵＴ15と、ＬＵＴ15により処理がなされた画像信号を後述する感光材料上で適切な色に再現されるような色の信号となるように補正するマトリクス（ＭＴＸ）16と、ＭＴＸ16により補正された信号を明暗信号に変換するためのＭＴＸ17と、明暗信号をボケ画像信号とするためのローパスフィルタ（ＬＰＦ）18と、ボケ画像信号を例えば１／１６に間引きする間引き回路19と、ＭＴＸ16により補正された信号をシャープネス処理する処理手段20と、このシャープネス処理をオンオフ選択する切換器20ａと、その出力を画像圧縮するＪＰＥＧなどの画像圧縮処理手段21と、その画像圧縮をオンオフ選択する切換器21ａと、その出力画像信号すなわち覆い焼き処理前の画像を表すデジタル画像信号と前記間引きされたボケ画像信号とをともにＭＯ、ＣＤ、ＦＤなどの携帯可能な記録媒体22に保存する記録手段と、先読画像信号ＳP の階調を補正するためのＬＵＴ23と、ＬＵＴ23により階調が補正された先読画像信号ＳP をＤ／Ａ変換するためのＤ／Ａ変換手段24と、Ｄ／Ａ変換がなされた先読画像信号ＳP を可視像として再生するためのＣＲＴ25と、ＣＲＴ25に表示された画像の最終的なパラメータを設定するために画像を操作するためのマウス26と、先読画像信号ＳP から後述するようにヒストグラムを算出し、このヒストグラムに基づいて、ＬＵＴ15，23を調整するためのパラメータを設定するオートセットアップアルゴリズム27とからなるものである。
【００３７】
ここで、ＬＵＴ12は原画像に存在する濃度域を飽和させずに変換する透過率−濃度変換テーブルである。ＬＵＴ15は、グレイバランス、明るさ補正および階調補正を行うものであり、図２（ａ）に示すようなグレイバランス調整テーブル、図２（ｂ）に示す明るさ補正テーブル、および図２（ｃ）はコントラスト（γ）補正テーブルがカスケード接続されてなるものである。また、このＬＵＴ15の出力はフイルム濃度に線形な画像信号で、ハイライト側、シャドー側の階調のつぶれがないものである。間引き回路19は、結果として情報を失わない程度に間引きをするもので、ボケマスク生成用のローパスフィルタ（ＬＰＦ）18のカットオフ周波数ωs は約0.19（rad/s ）であるから原理的にはπ／ωs は約１６となるので、１６分の１まで間引きしてもボケ画像信号の持っている情報は失われない。なおＬＵＴ23は線形の階調変換テーブルデータを記憶するものである。
【００３８】
一方、ＭＴＸ16は読み取られた画像信号を適切な色に仕上げるためのマトリクスであり、フイルム６が有する分光特性と最終的に画像が再生される感光材料の分光特性との組合わせで適切な色に再現されるように画像信号を補正するものである。また、ＭＴＸ17は、ＲＧＢのカラー画像信号を明暗信号に変換するものであり、ＲＧＢの各画像信号の平均値の３分の１、あるいはＹＩＱ規定などを用いてカラー画像信号を明暗信号に変換するものである。
【００３９】
また、ＬＰＦ18は、画像信号を２次元的にぼかすためのフィルタリング処理を行うものである。
【００４０】
図３は本発明による画像処理方法および装置を使用したデジタルフォトプリンタシステムにおけるパーソナルコンピュータ等のユーザ側で使用する第２の画像処理装置を示すものである。図２に示すように、この画像処理装置30は、覆い焼き処理前の画像を表す前記デジタル画像信号と前記間引きされたボケ画像信号を記録して保存されたＭＯ、ＣＤ、ＦＤなどの携帯可能な記録媒体22から、デジタル画像信号を読み出して再生するＪＰＥＧデコーダ31と、そのようにして再生されたＲＧＢの色ごとの信号を所望の大きさに拡大縮小処理する拡大縮小処理手段32と、前記記録媒体22からボケ画像信号を読み出して覆い焼き用のボケマスク画像を得るデコーダ33と、それを前記所望の大きさに拡大縮小処理されたデジタル画像と同じ大きさに拡大する拡大処理手段34と、その出力をダイナミック圧縮するためのＬＵＴ35と、その出力を所望の大きさに拡大縮小処理された前記デジタル画像に加えて覆い焼き効果を出す覆い焼き処理をするための加算器36と、その出力を標準階調に階調処理するＬＵＴ37と、その出力に所望の処理を施した画像をモニタ表示するためのＬＵＴとＭＴＸとからなる変換器38と、その変換器38に所望の処理のパラメータを入力するためのマニュアル補正キー39と、そのマニュアル補正キー39によりマニュアルキー補正されたパラメータを統合する手段40と、パラメータを統合して設定するオートセットアップアルゴリズム41とからなるものである。
【００４１】
上記のように構成された本発明による画像処理方法および装置は、大規模なラボ装置のような第１の画像処理装置１により生成した覆い焼き処理前の画像を表すデジタル画像信号とボケ画像信号をＭＯやＣＤ等の配送可能な記録媒体22に保存し、それをユーザのパソコンのような第２の画像処理装置30により再生し利用して、マニュアル補正キー39によってユーザの好みによって覆い焼き処理を調整するものであるから、ユーザが自由に好みの条件で覆い焼き処理をすることができる。
【００４２】
また、ボケ画像信号を間引き処理して間引きボケ画像信号を作成し、その間引きボケ画像信号を保存するようにしたから保存媒体の容量を節約することができる。
【図面の簡単な説明】
【図１】本発明による画像処理方法および装置を使用したデジタルフォトプリンタシステムにおける大規模なラボ装置のような第１の画像処理装置を示す概略図
【図２】（ａ）はグレイバランス調整テーブル、（ｂ）は明るさ補正テーブル、（ｃ）はコントラスト（γ）補正テーブル
【図３】本発明による画像処理方法および装置を使用したデジタルフォトプリンタシステムにおけるパーソナルコンピュータ等のユーザ側で使用する第２の画像処理装置を示す概略図
【符号の説明】
１    第１の画像処理装置
１Ａ  画像読取部
１Ｂ  画像処理部
２    光源
３    調光部
４    ＲＧＢフィルタ
５    ミラーボックス
６    フイルム
７    レンズ
８    ＣＣＤ
10    アンプ
11    Ａ／Ｄ変換器
15，23，35，37    ＬＵＴ
13Ｒ，13Ｇ，13Ｂ，14Ｒ，14Ｇ，14Ｂ    フレームメモリ
16，17    ＭＴＸ
18    ローパスフィルタ（ＬＰＦ）
20    シャープネス処理手段
20ａ，21ａ    切換器
21    画像圧縮処理手段
22    データ記録媒体
24    Ｄ／Ａ変換器
25    モニタ
26    マウス
27    オートセットアップアルゴリズム
30    第２の画像処理装置
31    ＪＰＥＧデコーダ
32    拡大縮小処理手段
33    ボケマスク画像を得るデコーダ
34    拡大処理手段
35    ダイナミック圧縮用ＬＵＴ
36    覆い焼き処理用加算器
38    ＬＵＴとＭＴＸとからなる変換器
39    マニュアル補正キー
40    パラメータ統合手段
41    オートセットアップアルゴリズム
【図１】
0003696345.tif 000002
【図２】
0003696345.tif 000003
【図３】
0003696345.tif 000004